(57)【要約】【課題】従来のモジュールに比べて低コストで簡単な構成を有するアド／ドロップモジュールを提供する。【解決手段】第１ポートから第２ポートへ、第２ポートから第３ポートへ光信号を出力するサーキュレータ２２０と、サーキュレータ２２０の第２ポートと連結された光多重化／逆多重化器２３０と、多数のアド／ドロップ部２４０…２５０とを備え、各アド／ドロップ部は、第２ポートから第３ポートへ、第１ポートから第２ポートへチャネルを出力するサーキュレータ２４１と、第１ポートが第２サーキュレータの第３ポートと連結され、第３ポートが第２サーキュレータの第１ポートと連結され、チャネルをパスするために第１ポートと第３ポートが、チャネルをドロップするために第１ポートと第４ポートが、チャネルをアドするために第２ポートと第３ポートがスイッチ連結される光スイッチ２４２と、からなることを特徴とする。【選択図】    図２
2004350279.tif 000002
【特許請求の範囲】
【請求項１】
波長分割多重光伝送システム内で多重化光信号の伝送のための光ファイバと連結され、前記光信号に対するチャネルアドまたはドロップを遂行するためのアド／ドロップモジュールにおいて、
第１ないし第３ポートを備え、その第１及び第３ポートは前記光ファイバと連結され、第１ポートに入力された光信号を第２ポートに出力し、第２ポートに入力された光信号を第３ポートに出力する第１サーキュレータと、
前記第１サーキュレータの第２ポートと連結され、前記光信号の通路になる多重化ポートと、それぞれ前記光信号の逆多重化されたチャネルの通路になる多数の逆多重化ポートとを備える光多重化／逆多重化器と、
多数のアド／ドロップ部と、を備え、
前記各アド／ドロップ部は、
第１ないし第３ポートを備え、その第２ポートは該当する前記逆多重化ポートと連結され、第２ポートに入力されたチャネルは第３ポートに出力し、第１ポートに入力されたチャネルは第２ポートに出力する第２サーキュレータと、
第１ないし第４ポートを備え、その第１ポートは前記第２サーキュレータの第３ポートと連結され、第３ポートは前記第２サーキュレータの第１ポートと連結され、パスされるチャネルの通路のために第１ポートは第３ポートと可変的に連結され、ドロップされるチャネルの通路のために第１ポートは第４ポートと可変的に連結され、アドされるチャネルの通路のために第２ポートは第３ポートと可変的に連結される光スイッチと、からなることを特徴とするアド／ドロップモジュール。
【請求項２】
光多重化／逆多重化器は、導波管格子ルータからなる請求項１に記載のアド／ドロップモジュール。
【請求項３】
波長分割多重光伝送システムのためのアド／ドロップモジュールにおいて、
多数のポートを備え、光ファイバと連結された第１サーキュレータと、
前記第１サーキュレータと連結された光多重化／逆多重化器と、
少なくとも２つのアド／ドロップ部と、を備え、
前記各アド／ドロップ部は、
多数のポートを備え、少なくとも１つのポートが前記光多重化／逆多重化器の逆多重化ポートと連結された第２サーキュレータと、
多数のポートを備え、そのうち２つのポートが前記第２サーキュレータのポートと一対一連結され、そして、該第２サーキュレータのポートと連結された２つのポートがパスされるチャネルの通路を形成するために選択的に連結され、また、他の１つのポートが前記第２サーキュレータのポートと連結された２つのポートのうちの一方とドロップされるチャネルの通路を形成するために選択的に連結される光スイッチと、からなることを特徴とするアド／ドロップモジュール。
【請求項４】
光スイッチは、さらに他の１つのポートが第２サーキュレータのポートと連結された２つのポートのうちの他方とアドされるチャネルの通路を形成するために選択的に連結される請求項３に記載のアド／ドロップモジュール。
【請求項５】
光多重化／逆多重化器は、導波管格子ルータからなる請求項３に記載のアド／ドロップモジュール。
【請求項６】
第１サーキュレータは、第１ないし第３ポートを備え、第１及び第３ポートが光ファイバと連結され、第１ポートに入力された光信号を第２ポートに出力し、第２ポートに入力された光信号を第３ポートに出力する請求項３に記載のアド／ドロップモジュール。
【請求項７】
光多重化／逆多重化器は、第１サーキュレータの第２ポートと連結され、光信号の通路になる多重化ポートと、それぞれ前記光信号の逆多重化されたチャネルの通路になる多数の逆多重化ポートとを備える請求項６に記載のアド／ドロップモジュール。
【請求項８】
第２サーキュレータは、第１ないし第３ポートを備え、その第２ポートは光多重化／逆多重化器の該当逆多重化ポートと連結され、第２ポートに入力されたチャネルは第３ポートに出力し、第１ポートに入力されたチャネルは第２ポートに出力する請求項７に記載のアド／ドロップモジュール。
【請求項９】
波長分割多重光伝送システムのアド／ドロップモジュールのためのアド／ドロップ部において、
多数のポートを備え、少なくとも１つのポートが光多重化／逆多重化器の逆多重化ポートと連結できるサーキュレータと、
多数のポートを備え、２つのポートが前記サーキュレータのポートと一対一連結され、そして、該サーキュレータのポートと連結された２つのポートがパスされるチャネルの通路を形成するために選択的に連結され、また、他の１つのポートが前記サーキュレータのポートと連結された２つのポートのうちの一方とドロップされるチャネルの通路を形成するために選択的に連結される光スイッチと、を備えることを特徴とするアド／ドロップ部。
【請求項１０】
光スイッチは、さらに他の１つのポートがサーキュレータのポートと連結された２つのポートのうちの他方とアドされるチャネルの通路を形成するために選択的に連結される請求項９に記載のアド／ドロップ部。
【請求項１１】
サーキュレータは第１ないし第３ポートを備え、その第２ポートが逆多重化ポートと連結され、第２ポートに入力されたチャネルは第３ポートに出力し、第１ポートに入力されたチャネルは第２ポートに出力するようになっており、
光スイッチの２つのポートがそれぞれ前記サーキュレータの第３ポートと第１ポートとに連結される請求項１０に記載のアド／ドロップ部。
【発明の詳細な説明】
【技術分野】
【０００１】
本発明は、波長分割多重（wavelength division multiplexing：ＷＤＭ）光伝送システムに関し、特に、光伝送システム内において進行する多重化された光信号のためのチャネルアド／ドロップモジュール（channel add／drop module）に関する。
【背景技術】
【０００２】
従来のメトロ（metro）ＷＤＭ光伝送システムは、各ノード（node）で光信号のアド／ドロップができる形態に発展している。既存の光ファイバインフラ（infra）のコスト効率（cost-effective）を高める両方向光伝送システムにも多くの関心は集中されている。特に、シングル光ファイバ両方向リングネットワーク（single-fiber bidirectional ring network）に関する研究が活発に進行されている。このような光伝送システムの構造において、アド／ドロップモジュールが最も核心的な役割をする。多様なネットワークの構造において多様なアド／ドロップモジュールが開発された。そのうち、１つの光多重化／逆多重化器（optical multiplexer／demultiplexer）を利用した反射形態の再構成可能なアド／ドロップモジュールは、通常サーキュレータ（circulator：ＣＩＲ）、光スイッチ（optical switch：ＳＷ）、光ファイバ格子（fiber Bragg grating：ＦＢＧ）から構成される。
【０００３】
以下、従来技術におけるサーキュレータは、それぞれ多数のポートを有するので、サーキュレータを参照番号“＃＃＃”によって表示し、ｍ番目のポートを参照番号“ｍ”によって表示する。したがって、＃＃＃サーキュレータのｍ番目のポートは参照番号“＃＃＃ｍ”によって表示される。
【０００４】
図１は、従来技術による再構成可能なアド／ドロップモジュールの構成を示す図である。アド／ドロップモジュール１００は、第１サーキュレータ１２０（ＣＩＲ１）、光多重化／逆多重化器１３０、第１ないし第ｎアド／ドロップ部１４０、１５０を備えている。
【０００５】
第１サーキュレータ１２０は、第１ないし第３ポート１２０１〜１２０３を備え、第１及び第３ポート１２０１、１２０３は外部光ファイバ１１０に連結される。第１サーキュレータ１２０は、外部光ファイバ１１０を通じて第１ポート１２０１に入力された光信号を第２ポート１２０２に出力し、第２ポート１２０２に入力された光信号を第３ポート１２０３に出力する。第１サーキュレータ１２０は、波長無依存性素子であり、上位ポートに入力された光信号を隣接した下位ポートに出力するように構成される。
【０００６】
光多重化／逆多重化器１３０は、一方の端部に１つの多重化ポート（multiplexing port：ＭＰ）１３１及び他方の端部に第１ないし第ｎ逆多重化ポート（demultiplexing port：ＤＰ）１３２、１３３を備える。光多重化／逆多重化器１３０は、多重化ポート１３１に入力された多重化光信号を波長別に逆多重化して第１ないし第ｎ逆多重化ポート１３２、１３３に出力し、第１ないし第ｎ逆多重化ポート１３２、１３３に入力された第１ないし第ｎチャネルλ１〜λｎを多重化して多重化ポート１３１に出力する。光多重化／逆多重化器１３０の多重化ポート１３１は、第１サーキュレータ１２０の第２ポート１２０２と連結される。光多重化／逆多重化器１３０の第１ないし第ｎ逆多重化ポート１３２、１３３は、第１ないし第ｎアド／ドロップ部１４０、１５０と一対一連結される。
【０００７】
第１ないし第ｎアド／ドロップ部１４０、１５０は、それぞれ１×２光スイッチ１４１、１５１（ＳＷ１〜ＳＷｎ）、光ファイバ格子１４２、１５２（ＦＢＧ１〜ＦＢＧｎ）、サーキュレータ１４３、１５３（ＣＩＲ２１〜ＣＩＲ２ｎ）を有する。第１ないし第ｎアド／ドロップ部１４０、１５０は、全て同一の構成を有するので、第１アド／ドロップ部１４０のみに対して説明する。
【０００８】
第１アド／ドロップ部１４０は、第１光スイッチ１４１（ＳＷ１）、第１光ファイバ格子１４２（ＦＢＧ１）、第２１サーキュレータ１４３（ＣＩＲ２１）を有する。
【０００９】
第１光スイッチ１４１は、一端に第１ポート１４１１を、他端に第２及び第３ポート１４１２、１４１３を備え、第１ポート１４１１は光多重化／逆多重化器１３０の第１逆多重化ポート１３２と連結され、第２ポート１４１２は光ファイバ格子１４２と連結され、第３ポート１４１３は第２１サーキュレータ１４３と連結される。第１光スイッチ１４１の第１ポート１４１１は、第２及び第３ポート１４１２、１４１３のうちいずれか１つと選択的に連結される。第１光スイッチ１４１のバー（bar）状態で第１ポート１４１１と第２ポート１４１２が連結され、クロス（cross）状態で第１ポート１４１１と第３ポート１４１３が連結される。
【００１０】
光ファイバ格子１４２は、予め設定された波長の第１チャネルλ１を反射させる。
【００１１】
第２１サーキュレータ１４３は、第１ないし第３ポート１４３１〜１４３３を備え、第２ポート１４３２は、光スイッチ１４１の第３ポート１４１３と連結される。第２１サーキュレータ１４３は、第２ポート１４３２に入力された第１チャネルλ１を第３ポート１４３３に出力することによって第１チャネルλ１を除去（ドロップ）し、第１ポート１４３１に入力されたチャネルを第２ポート１４３２に出力することによって第１チャネルλ１を追加（アド）する。第２１サーキュレータ１４３は、波長無依存性素子であり、上位ポートに入力された光信号を隣接した下位 ポートに出力するように構成される。
【００１２】
以下、アド／ドロップモジュール１００の動作に関して、外部光ファイバ１１０を通じて入力され、第１ないし第ｎチャネルλ１〜λｎからなる光信号をパス（pass）する第１過程と、前記光信号から第１チャネルλ１を除去した後、第１チャネルλ１を追加する第２過程によって説明する。
【００１３】
第１過程を説明すると、制御部（図示せず）は、第１ないし第ｎ光スイッチ１４１、１５１をバー状態に制御する。第１サーキュレータ１２０の第１ポート１２０１に入力された光信号は、第２ポート１２０２に出力され、光多重化／逆多重化器１３０は、多重化ポート１３１に入力された光信号を波長分割逆多重化して第１ないし第ｎポート１３２、１３３に出力する。第１アド／ドロップ部１４０の第１光スイッチ１４１は、第１ポート１４１１に入力された第１チャネルλ１を第２ポート１４１２に出力し、第１光ファイバ格子１４２は入力された第１チャネルλ１を反射させる。第１光スイッチ１４１は、第２ポート１４１２に入力された第１チャネルλ１を第１ポート１４１１に出力する。同様の方式で、第２ないし第ｎアド／ドロップ部１４０、１５０は、入力された第２ないし第ｎチャネルλ１〜λｎをパスする。光多重化／逆多重化器１３０は、第１ないし第ｎ逆多重化ポート１３２、１３３に入力された第１ないし第ｎチャネルλ１〜λｎを波長分割多重化して多重化ポート１３１に出力し、第１サーキュレータ１２０は、第２ポート１２０２に入力された多重化光信号を外部光ファイバ１１０と連結された第３ポート１２０３に出力する。
【００１４】
次に、第２過程を説明すると、制御部は、第１光スイッチ１４１をクロス状態に制御し、残りの光スイッチ１５１をバー状態に制御する。第１サーキュレータ１２０の第１ポート１２０１に入力された光信号は第２ポート１２０２に出力され、光多重化／逆多重化器１３０は、多重化ポート１３１に入力された光信号を波長分割逆多重化して第１ないし第ｎポート１３２、１３３に出力する。第１光スイッチ１４１は第１ポート１４１１に入力された第１チャネλ１を第３ポート１４１３に出力し、第２１サーキュレータ１４３は第２ポート１４３２に入力された第１チャネルλ１を第３ポート１４３３に出力することによって、第１チャネルλ１を除去する。第２１サーキュレータ１４３は第１ポート１４３１に入力された第１チャネルλ１を第２ポート１４３２に出力することによって、第１チャネルλ１を追加する。第１光スイッチ１４１は第３ポート１４１３に入力された第１チャネルλ１を第１ポート１４１１に出力する。残りのアド／ドロップ部１５０は入力された第２ないし第ｎチャネルλ２〜λｎをパスする。光多重化／逆多重化器１３０は、第１ないし第ｎ逆多重化ポート１３２、１３３に入力された第１ないし第ｎチャネルλ１〜λｎを波長分割多重化して多重化ポート１３１に出力し、第１サーキュレータ１２０は、第２ポート１２０２に入力された多重化光信号を外部光ファイバ１１０と連結された第３ポート１２０３に出力する。
【００１５】
アド／ドロップモジュール１００は全ての第１ないし第ｎチャネルλ１〜λｎに対して第１ないし第ｎ光スイッチ１４１、１５１のそれぞれの動作を異にすることができるので、再構成が可能であるという利点を有する。
【００１６】
しかしながら、従来のアド／ドロップモジュール１００において、各アド／ドロップ部１４０、１５０は、該当チャネルをパスするために光ファイバ格子１４１、１５１（または、ミラーのような反射体）を備えねばならず、該当チャネルの波長に合わせて光ファイバ格子１４１、１５１の反射波長を設定する必要がある。このような高価格の光ファイバ格子１４１、１５１を要するため、アド／ドロップモジュール１００の全体的製作コストが上昇し、構造が複雑であるという問題点がある。
【発明の開示】
【発明が解決しようとする課題】
【００１７】
本発明は、前述したような問題点を解決するために提案され、本発明の目的は、従来のモジュールに比べて製作コストが低廉であり、簡単な構成を有するアド／ドロップモジュールを提供することにある。
【課題を解決するための手段】
【００１８】
このような目的を達成するため、本発明によれば、波長分割多重光伝送システム内で多重化光信号の伝送のための光ファイバと連結され、その光信号に対するチャネルアドまたはドロップを遂行するためのアド／ドロップモジュールにおいて、第１ないし第３ポートを備え、その第１及び第３ポートは伝送用の光ファイバと連結され、第１ポートに入力された光信号を第２ポートに出力し、第２ポートに入力された光信号を第３ポートに出力する第１サーキュレータと、該第１サーキュレータの第２ポートと連結され、光信号の通路になる多重化ポート、及び、それぞれ光信号の逆多重化されたチャネルの通路になる多数の逆多重化ポートを備える光多重化／逆多重化器と、多数のアド／ドロップ部と、を備え、各アド／ドロップ部は、第１ないし第３ポートを備え、その第２ポートは該当する逆多重化ポートと連結され、第２ポートに入力されたチャネルは第３ポートに出力し、第１ポートに入力されたチャネルは第２ポートに出力する第２サーキュレータと、第１ないし第４ポートを備え、その第１ポートは第２サーキュレータの第３ポートと連結され、第３ポートは第２サーキュレータの第１ポートと連結され、パスされるチャネルの通路のために第１ポートは第３ポートと可変的に連結され、ドロップされるチャネルの通路のために第１ポートは第４ポートと可変的に連結され、アドされるチャネルの通路のために第２ポートは第３ポートと可変的に連結される光スイッチと、からなることを特徴とする。
【００１９】
あるいは、本発明によれば、波長分割多重光伝送システムのためのアド／ドロップモジュールにおいて、多数のポートを備え、光ファイバと連結された第１サーキュレータと、該第１サーキュレータと連結された光多重化／逆多重化器と、少なくとも２つのアド／ドロップ部と、を備え、各アド／ドロップ部は、多数のポートを備え、少なくとも１つのポートが光多重化／逆多重化器の逆多重化ポートと連結された第２サーキュレータと、多数のポートを備え、そのうち２つのポートが第２サーキュレータのポートと一対一連結され、そして、該第２サーキュレータのポートと連結された２つのポートがパスされるチャネルの通路を形成するために選択的に連結され、また、他の１つのポートが第２サーキュレータのポートと連結された２つのポートのうちの一方とドロップされるチャネルの通路を形成するために選択的に連結される光スイッチと、からなることを特徴とする。
【００２０】
この場合の光スイッチは、さらに他の１つのポートが第２サーキュレータのポートと連結された２つのポートのうちの他方とアドされるチャネルの通路を形成するために選択的に連結されるものとすることができる。
【００２１】
第１サーキュレータは、第１ないし第３ポートを備え、第１及び第３ポートが光ファイバと連結され、第１ポートに入力された光信号を第２ポートに出力し、第２ポートに入力された光信号を第３ポートに出力する構成とすることが可能である。また、光多重化／逆多重化器は、第１サーキュレータの第２ポートと連結され、光信号の通路になる多重化ポートと、それぞれ光信号の逆多重化されたチャネルの通路になる多数の逆多重化ポートとを備えるものとする。このときの第２サーキュレータは、第１ないし第３ポートを備え、その第２ポートは光多重化／逆多重化器の該当逆多重化ポートと連結され、第２ポートに入力されたチャネルは第３ポートに出力し、第１ポートに入力されたチャネルは第２ポートに出力するものとする。
【００２２】
あるいはまた、本発明によれば、波長分割多重光伝送システムのアド／ドロップモジュールのためのアド／ドロップ部において、多数のポートを備え、少なくとも１つのポートが光多重化／逆多重化器の逆多重化ポートと連結できるサーキュレータと、多数のポートを備え、２つのポートがサーキュレータのポートと一対一連結され、そして、該サーキュレータのポートと連結された２つのポートがパスされるチャネルの通路を形成するために選択的に連結され、また、他の１つのポートがサーキュレータのポートと連結された２つのポートのうちの一方とドロップされるチャネルの通路を形成するために選択的に連結される光スイッチと、を備えることを特徴とする。
【００２３】
この場合の光スイッチは、さらに他の１つのポートがサーキュレータのポートと連結された２つのポートのうちの他方とアドされるチャネルの通路を形成するために選択的に連結される構成とすることができる。
【００２４】
サーキュレータは、第１ないし第３ポートを備え、その第２ポートが逆多重化ポートと連結され、第２ポートに入力されたチャネルは第３ポートに出力し、第１ポートに入力されたチャネルは第２ポートに出力するものとし、光スイッチの２つのポートがそれぞれそのサーキュレータの第３ポートと第１ポートとに連結される構成とすることができる。
【発明の効果】
【００２５】
本発明による再構成可能なアド／ドロップモジュールは、反射体を使用せずにサーキュレータ及び光スイッチを利用してアド／ドロップ部を具現することによって、従来のモジュールに比べてコスト効率（cost-effective）が高く、簡単な構造を有することができるという利点がある。
【発明を実施するための最良の形態】
【００２６】
以下、本発明の好適な実施形態について添付図を参照しつつ詳細に説明する。下記の説明において、本発明の要旨のみを明確にする目的で、関連した公知機能又は構成に関する具体的な説明は省略する。
【００２７】
以下、本発明の好適な実施形態によるサーキュレータ及び光スイッチは、それぞれ多数のポートを備えるので、以下の説明において、サーキュレータまたは光スイッチの参照番号は“＃＃＃”によって表示し、ｍ番目のポートの参照番号は“ｍ”によって表示する。したがって、＃＃＃サーキュレータまたは光スイッチのｍ番目のポートは、参照番号“＃＃＃ｍ”によって表示する。
【００２８】
図２は、本発明の好適な実施形態による再構成可能なアド／ドロップモジュールの構成を示す図である。アド／ドロップモジュール２００は、第１サーキュレータ２２０（ＣＩＲ１）、光多重化／逆多重化器２３０、及び第１ないし第ｎアド／ドロップ部２４０、２５０を備えている。
【００２９】
第１サーキュレータ２２０は、第１ないし第３ポート２２０１〜２２０３を備え、第１及び第３ポート２２０１、２２０３は、外部光ファイバ２１０に連結される。第１サーキュレータ２２０は、外部光ファイバ２１０を通じて第１ポート２２０１に入力された光信号を第２ポート２２０２に出力し、第２ポート２２０２に入力された光信号を第３ポート２２０３に出力する。第１サーキュレータ２２０は、波長無依存性素子であり、上位ポートに入力された光信号を隣接した下位ポートに出力するように構成される。
【００３０】
光多重化／逆多重化器２３０は、一方の端部に１つの多重化ポート２３１（ＭＰ）を、他方の端部に第１ないし第ｎ逆多重化ポート２３２、２３３（ＤＰ１〜ＤＰｎ）を備え、多重化ポート２３１に入力された多重化光信号を波長別に逆多重化して第１ないし第ｎ逆多重化ポート２３２、２３３に出力し、第１ないし第ｎ逆多重化ポート２３２、２３３に入力された第１ないし第ｎチャネルλ１〜λｎを多重化して多重化ポート２３１に出力する。光多重化／逆多重化器２３０の多重化ポート２３１は、第１サーキュレータ２２０の第２ポート２２０２と連結される。光多重化／逆多重化器２３０の第１ないし第ｎ逆多重化ポート２３２、２３３は、第１ないし第ｎアド／ドロップ部２４０、２５０と一対一連結される。光多重化／逆多重化器２３０は、半導体基板上に集積される１×ｎ導波管格子ルータ（waveguide grating router：ＷＧＲ）から構成することができる。
【００３１】
第１ないし第ｎアド／ドロップ部２４０、２５０は、それぞれサーキュレータ２４１、２５１（ＣＩＲ２１〜ＣＩＲ２ｎ）及び２×２光スイッチ２４２、２５２（ＳＷ１〜ＳＷｎ）を有する。第１ないし第ｎアド／ドロップ部２４０、２５０は、全て同一の構成を有するので、以下、第１アド／ドロップ部２４０のみに対して説明する。
【００３２】
第１アド／ドロップ部２４０は、第２１サーキュレータ２４１及び第１光スイッチ２４２を含む。
【００３３】
第２１サーキュレータ２４１は、第１ないし第３ポート２４１１〜２４１３を備え、第２ポート２４１２は光多重化／逆多重化器２３０の第１逆多重化ポート２３２と連結される。第２１サーキュレータ２４１は、第２ポート２４１２に入力された第１チャネルλ１を第３ポート２４１３に出力し、第１ポート２４１１に入力された第１チャネルλ１を第２ポート２４１２に出力する。第２１サーキュレータ２４１は、波長無依存性素子であり、上位ポートに入力された光信号を隣接した下位ポートに出力するように構成される。
【００３４】
第１光スイッチ２４２は、一端に第１及び第２ポート２４２１、２４２２を、他端に第３及び第４ポート２４２３、２４２４を備える。第１光スイッチ２４２の第１ポート２４２１は、第２１サーキュレータ２４１の第３ポート２４１３と連結され、第１光スイッチ２４２の第３ポート２４２３は、第２１サーキュレータ２４１の第１ポート２４１１と連結される。第１光スイッチ２４２の第１ポート２４２１は、パスされるチャネルの通路のために第３ポート２４２３と可変的に連結され、ドロップされるチャネルの通路のために第４ポート２４２４と可変的に連結される。そして、アドされるチャネルの通路のために第２ポート２４２２が第３ポート２４２３と可変的に連結される。第１光スイッチ２４２は、バー状態で第１ポート２４２１と第３ポート２４２３が相互連結され、クロス状態で第１ポート２４２１と第４ポート２４２４が相互連結され且つ第２ポート２４２２と第３ポート２４２３が相互連結される。
【００３５】
以下、アド／ドロップモジュール２００の動作に関して、外部光ファイバ２１０を通じて入力され、第１ないし第ｎチャネルλ１〜λｎからなる光信号をパスする第１過程と、前記光信号から第１チャネルλ１を除去した後、第１チャネルλ１を追加する第２過程によって説明する。
【００３６】
第１過程を説明すると、制御部（図示せず）は、第１ないし第ｎ光スイッチ２４２、２５２をバー状態に制御する。第１サーキュレータ２２０の第１ポート２２０１に入力された光信号は第２ポート２２０２に出力され、光多重化／逆多重化器２３０は、多重化ポート２３１に入力された光信号を波長分割逆多重化して第１ないし第ｎポート２３２、２３３に出力する。第１アドドロップ部２４０の第２１サーキュレータ２４１は、第２ポート２４１２に入力された第１チャネルλ１を第３ポート２４１３に出力し、第１光スイッチ２４２は、第１ポート２４２１に入力された第１チャネルλ１を第３ポート２４２３に出力する。第２１サーキュレータ２４１は、第１ポート２４１１に入力された第１チャネルλ１を第２ポート２４１２に出力する。同様の方式で、残りのアド／ドロップ部２５０は、入力された第２ないし第ｎチャネルλ２〜λｎをパスする。光多重化／逆多重化器２３０は、第１ないし第ｎ逆多重化ポート２３２、２３３に入力された第１ないし第ｎチャネルλ１〜λｎを波長分割多重化して多重化ポート２３１に出力し、第１サーキュレータ２２０は、第２ポート２２０２に入力された多重化された光信号を外部光ファイバ２１０と連結された第３ポート２２０３に出力する。
【００３７】
次に、第２過程を説明すると、制御部は、第１光スイッチ２４２をクロス状態に制御し、残りの光スイッチ２５２をバー状態に制御する。第１サーキュレータ２２０の第１ポート２２０１に入力された光信号は第２ポート２２０２に出力され、光多重化／逆多重化器２３０は、多重化ポート２３１に入力された光信号を波長分割逆多重化して第１ないし第ｎポート２３２、２３３に出力する。第１アドドロップ部２４０の第２１サーキュレータ２４１は、第２ポート２４１２に入力された第１チャネルλ１を第３ポート２４１３に出力し、第１光スイッチ２４２は、第１ポート２４２１に入力された第１チャネルλ１を第４ポート２４２４に出力することによって、第１チャネルλ１を除去する。第１光スイッチ２４２は、第２ポート２４２２に入力された第１チャネルλ１を第３ポート２４２３に出力することによって、第１チャネルλ１を追加する。第２１サーキュレータ２４１は、第１ポート２４１１に入力された第１チャネルλ１を第２ポート２４１２に出力する。残りのアド／ドロップ部２５０は、入力された第２ないし第ｎチャネルλ２〜λｎをパスする。光多重化／逆多重化器２３０は、第１ないし第ｎ逆多重化ポート２３２、２３３に入力された第１ないし第ｎチャネルλ１〜λｎを波長分割多重化して多重化ポート２３１に出力し、第１サーキュレータ２２０は、第２ポート２２０２に入力された多重化光信号を外部光ファイバ２１０と連結された第３ポート２２０３に出力する。
【００３８】
以上、本発明を具体的な実施形態を参照して詳細に説明してきたが、本発明の範囲は前述の実施形態によって限られるべきではなく、本発明の範囲内で様々な変形が可能であるということは、当該技術分野における通常の知識を持つ者には明らかである
【図面の簡単な説明】
【００３９】
【図１】従来の技術による再構成可能なアド／ドロップモジュールの構成を示す図。
【図２】本発明の好適な実施形態による再構成可能なアド／ドロップモジュールの構成を示す図。
【符号の説明】
【００４０】
２２０  サーキュレータ
２３０  光多重化／逆多重化器（ＷＧＲ）
２４０，２５０  アド／ドロップ部
２４１，２５１  サーキュレータ
２４２，２５２  光スイッチ
【図１】
2004350279.tif 000003
【図２】
2004350279.tif 000004